(57)【要約】【課題】ＮＯX浄化用触媒にＳＯXが捕獲されるのを抑制する。【解決手段】機関排気通路内にＳＯXトラップ触媒１２とＮＯX浄化用触媒１３とを配置する。ＮＯX浄化用触媒１３の基体５０上には上部コート層５１と下部コート層５２の少くとも二層からなるコート層が形成されている。下部コート層５２は、排気ガスの空燃比がリーンのときには排気ガス中に含まれるＮＯXを吸蔵し排気ガスの空燃比が理論空燃比又はリッチになると吸蔵したＮＯXを放出するＮＯX吸蔵触媒から形成される。上部コート層５１はこのＮＯX吸蔵触媒よりも塩基性の弱い材料から形成されている。【選択図】図２
2008303791.tif 000002
【特許請求の範囲】
【請求項１】
機関排気通路内に排気ガス中に含まれるＳＯXを捕獲しうるＳＯXトラップ触媒を配置し、ＳＯXトラップ触媒下流の排気通路内に排気ガス中に含まれるＮＯXを吸蔵し放出する機能を有するＮＯX浄化用触媒を配置した内燃機関において、上記ＮＯX浄化用触媒の基体上には上部コート層と下部コート層の少くとも二層からなるコート層が形成されており、下部コート層は、排気ガスの空燃比がリーンのときには排気ガス中に含まれるＮＯXを吸蔵し排気ガスの空燃比が理論空燃比又はリッチになると吸蔵したＮＯXを放出するＮＯX吸蔵触媒から形成されており、上部コート層は該ＮＯX吸蔵触媒よりも塩基性の弱い材料から形成されている内燃機関の排気浄化装置。
【請求項２】
上部コート層がＳＯ2を保持することのできる材料から形成されている請求項１に記載の内燃機関の排気浄化装置。
【請求項３】
上部コート層が酸性材料から形成されている請求項１に記載の内燃機関の排気浄化装置。
【請求項４】
上部コート層が酸化機能を有しない材料から形成されている請求項１に記載の内燃機関の排気浄化装置。
【請求項５】
上部コート層がＮＯXを選択的に還元しうるＮＯX選択還元触媒から形成されている請求項１に記載の内燃機関の排気浄化装置。
【請求項６】
ＳＯXトラップ触媒からＳＯXを放出すべきときにはＳＯXトラップ触媒に流入する排気ガスの空燃比がリッチにされる請求項１に記載の内燃機関の排気浄化装置。
【請求項７】
ＳＯXトラップ触媒からＳＯXを放出すべきときにはＳＯXトラップ触媒内を流れる排気ガスの空間速度が予め定められた速度以上のときにＳＯXトラップ触媒に流入する排気ガスの空燃比がリッチにされる請求項６に記載の内燃機関の排気浄化装置。
【発明の詳細な説明】
【技術分野】
【０００１】
本発明は内燃機関の排気浄化装置に関する。
【背景技術】
【０００２】
流入する排気ガスの空燃比がリーンのときには排気ガス中に含まれるＮＯXを吸蔵し流入する排気ガスの空燃比が理論空燃比又はリッチになると吸蔵したＮＯXを放出するＮＯX吸蔵触媒を機関排気通路内に配置した内燃機関が公知である。この内燃機関ではリーン空燃比のもとで燃焼が行われているときに発生するＮＯXがＮＯX吸蔵触媒に吸蔵される。一方、ＮＯX吸蔵触媒のＮＯX吸蔵能力が飽和に近づくと排気ガスの空燃比が一時的にリッチにされ、それによってＮＯX吸蔵触媒からＮＯXが放出され還元される。
【０００３】
ところで燃料および潤滑油内には硫黄が含まれており、従って排気ガス中にはＳＯXが含まれている。このＳＯXはＮＯXと共にＮＯX吸蔵触媒は吸蔵される。ところがこのＳＯXは排気ガスの空燃比を単にリッチにしただけではＮＯX吸蔵触媒から放出されず、従ってＮＯX吸蔵触媒に吸蔵されているＳＯXの量が次第に増大していく。その結果吸蔵しうるＮＯX量が次第に減少してしまう。
【０００４】
そこでＮＯX吸蔵触媒にＳＯXが送り込まれるのを阻止するためにＮＯX吸蔵触媒上流の機関排気通路内にＳＯXトラップ触媒を配置した内燃機関が公知である（特許文献１参照）。この内燃機関では排気ガス中に含まれるＳＯXがＳＯXトラップ触媒に捕獲され、斯くしてＮＯX吸蔵触媒にＳＯXが流入するのが阻止される。その結果、ＳＯXの吸蔵によりＮＯXの吸蔵能力が低下するのを阻止することができる。
【特許文献１】特開２００５−１３３６１０号公報
【発明の開示】
【発明が解決しようとする課題】
【０００５】
ところでこのＳＯXトラップ触媒を用いた場合、ＳＯXトラップ触媒のＳＯXトラップ能力が低下するとＳＯXがＮＯX吸蔵触媒に流入してしまう。ところがこのＳＯXトラップ触媒ではＳＯXトラップ触媒の温度を上昇させかつＳＯXトラップ触媒に流入する排気ガスの空燃比をリッチにするとＳＯXトラップ触媒から吸収したＳＯXを放出させることができ、斯くしてＳＯXトラップ触媒を再生することができる。しかしながらこのようにＳＯXトラップ触媒からＳＯXを放出させるとＮＯX吸蔵触媒の塩基性が強いために排気ガスの空燃比がリッチであったとしても放出したＳＯXがＮＯX吸蔵触媒に吸蔵されてしまうという問題を生ずる。
【課題を解決するための手段】
【０００６】
上記問題を解決するために本発明によれば、機関排気通路内に排気ガス中に含まれるＳＯXを捕獲しうるＳＯXトラップ触媒を配置し、ＳＯXトラップ触媒下流の排気通路内に排気ガス中に含まれるＮＯXを吸蔵し放出する機能を有するＮＯX浄化用触媒を配置した内燃機関において、ＮＯX浄化用触媒の基体上には上部コート層と下部コート層の少くとも二層からなるコート層が形成されており、下部コート層は、排気ガスの空燃比がリーンのときには排気ガス中に含まれるＮＯXを吸蔵し排気ガスの空燃比が理論空燃比又はリッチになると吸蔵したＮＯXを放出するＮＯX吸蔵触媒から形成されており、上部コート層はＮＯX吸蔵触媒よりも塩基性の弱い材料から形成されている。
【発明の効果】
【０００７】
上部コート層はＮＯX吸蔵触媒よりも塩基性の弱い材料から形成されているのでＳＯXトラップ触媒から放出されたＳＯXがＮＯX吸蔵触媒内に達し、ＮＯX吸蔵触媒内に吸蔵されるのが抑制される。
【発明を実施するための最良の形態】
【０００８】
図１に圧縮着火式内燃機関の全体図を示す。
図１を参照すると、１は機関本体、２は各気筒の燃焼室、３は各燃焼室２内に夫々燃料を噴射するための電子制御式燃料噴射弁、４は吸気マニホルド、５は排気マニホルドを夫々示す。吸気マニホルド４は吸気ダクト６を介して排気ターボチャージャ７のコンプレッサ７ａの出口に連結され、コンプレッサ７ａの入口は吸入空気量検出器８を介してエアクリーナ９に連結される。吸気ダクト６内にはステップモータにより駆動されるスロットル弁１０が配置され、更に吸気ダクト６周りには吸気ダクト６内を流れる吸入空気を冷却するための冷却装置１１が配置される。図１に示される実施例では機関冷却水が冷却装置１１内に導かれ、機関冷却水によって吸入空気が冷却される。
【０００９】
一方、排気マニホルド５は排気ターボチャージャ７の排気タービン７ｂの入口に連結され、排気タービン７ｂの出口は排気ガス中に含まれるＳＯXを捕獲しうるＳＯXトラップ触媒１２の入口に連結される。また、ＳＯXトラップ触媒１２の出口は排気ガス中に含まれるＮＯXを吸蔵し放出する機能を有するＮＯX浄化用触媒１３に連結される。一方、排気マニホルド５内には排気マニホルド５内を流れる排気ガス中に例えば炭化水素からなる還元剤を供給するための還元剤供給弁１４が取付けられる。
【００１０】
排気マニホルド５と吸気マニホルド４とは排気ガス再循環（以下、ＥＧＲと称す）通路１５を介して互いに連結され、ＥＧＲ通路１５内には電子制御式ＥＧＲ制御弁１６が配置される。また、ＥＧＲ通路１５周りにはＥＧＲ通路１５内を流れるＥＧＲガスを冷却するための冷却装置１７が配置される。図１に示される実施例では機関冷却水が冷却装置１７内に導かれ、機関冷却水によってＥＧＲガスが冷却される。一方、各燃料噴射弁３は燃料供給管１８を介してコモンレール１９に連結される。このコモンレール１９内へは電子制御式の吐出量可変な燃料ポンプ２０から燃料が供給され、コモンレール１９内に供給された燃料は各燃料供給管１８を介して燃料噴射弁３に供給される。
【００１１】
電子制御ユニット３０はデジタルコンピュータからなり、双方向性バス３１によって互いに接続されたＲＯＭ（リードオンリメモリ）３２、ＲＡＭ（ランダムアクセスメモリ）３３、ＣＰＵ（マイクロプロセッサ）３４、入力ポート３５および出力ポート３６を具備する。図１に示されるように吸入空気量検出器８の出力信号は対応するＡＤ変換器３７を介して入力ポート３５に入力される。また、アクセルペダル４０にはアクセルペダル４０の踏込み量Ｌに比例した出力電圧を発生する負荷センサ４１が接続され、負荷センサ４１の出力電圧は対応するＡＤ変換器３７を介して入力ポート３５に入力される。更に入力ポート３５にはクランクシャフトが例えば１５°回転する毎に出力パルスを発生するクランク角センサ４２が接続される。一方、出力ポート３６は対応する駆動回路３８を介して燃料噴射弁３、スロットル弁１０の駆動用ステップモータ、還元剤供給弁１４、ＥＧＲ制御弁１６および燃料ポンプ２０に接続される。
【００１２】
まず、初めに図１に示されるＮＯX浄化用触媒１２について説明する。このＮＯX浄化用触媒１２の基体は例えばコージライトから形成されており、図２はこの基体５０の表面部分の断面を図解的に示している。図２に示されるように基体５０上には上部コート層５１と下部コート層５２の少くとも二層からなるコート層が形成されている。
【００１３】
下部コート層５２は、基体５０の表面上に形成されているＮＯX吸収剤５３の層と、このＮＯX吸収剤５３の層上に分散して担持されている貴金属触媒５４から構成されている。本発明による実施例ではこの貴金属触媒５４として白金Ｐｔが用いられており、ＮＯX吸収剤５３を構成する成分としては例えばカリウムＫ、ナトリウムＮａ、セシウムＣｓのようなアルカリ金属、バリウムＢａ、カルシウムＣａのようなアルカリ土類、ランタンＬａ、イットリウムＹのような希土類から選ばれた少なくとも一つが用いられている。なお、図２において白金Ｐｔ５４は誇張して大きく描かれており、実際の寸法はかなり小さい。
【００１４】
さて、機関吸気通路、燃焼室２およびＮＯX浄化用触媒１３上流の排気通路内に供給された空気および燃料（炭化水素）の比を排気ガスの空燃比と称すると、ＮＯX吸収剤５３は排気ガスの空燃比がリーンのときにはＮＯXを吸収し、排気ガス中の酸素濃度が低下すると吸収したＮＯXを放出するＮＯXの吸放出作用を行う。
【００１５】
即ち、ＮＯX吸収剤５３を構成する成分としてバリウムＢａを用いた場合を例にとって説明すると、排気ガスの空燃比がリーンのとき、即ち排気ガス中の酸素濃度が高いときには排気ガス中に含まれるＮＯは図２に示されるように上部コート層５１内を拡散して上部コート層５１の奥部に到達した後、白金Ｐｔ５４上において酸化されてＮＯ2となり、次いでＮＯX吸収剤５３内に吸収されて炭酸バリウムＢａＣＯ3と結合しながら硝酸イオンＮＯ3-の形でＮＯX吸収剤５３内に拡散する。このようにしてＮＯXがＮＯX吸収剤５３内に吸収される。排気ガス中の酸素濃度が高い限り白金Ｐｔ５４の表面でＮＯ2が生成され、ＮＯX吸収剤５３のＮＯX吸収能力が飽和しない限りＮＯ2がＮＯX吸収剤５３内に吸収されて硝酸イオンＮＯ3-が生成される。
【００１６】
これに対し、例えば還元剤供給弁１４から還元剤を供給することによって排気ガスの空燃比をリッチ或いは理論空燃比にすると排気ガス中の酸素濃度が低下するために反応が逆方向（ＮＯ3-→ＮＯ2）に進み、斯くしてＮＯX吸収剤５３内の硝酸イオンＮＯ3-がＮＯ2の形でＮＯX吸収剤５３から放出される。次いで放出されたＮＯXは上部コート層５１内を拡散した後、排気ガス中に含まれる未燃ＨＣ，ＣＯによって還元される。このように下部コート層５２は、排気ガスの空燃比がリーンのときには排気ガス中に含まれるＮＯXを吸蔵し排気ガスの空燃比が理論空燃比又はリッチになると吸蔵したＮＯXを放出するＮＯX吸蔵触媒から形成されている。
【００１７】
ところで上述したように排気ガスの空燃比がリーンであるとき、即ちリーン空燃比のもとで燃焼が行われているときには排気ガス中のＮＯXがＮＯX吸収剤５３内に吸収される。しかしながらリーン空燃比のもとでの燃焼が継続して行われるとその間にＮＯX吸収剤５３のＮＯX吸収能力が飽和してしまい、斯くしてＮＯX吸収剤５３によりＮＯXを吸収できなくなってしまう。そこで本発明による実施例ではＮＯX吸収剤５３の吸収能力が飽和する前に還元剤供給弁１４から還元剤を供給することによって排気ガスの空燃比を一時的にリッチにし、それによってＮＯX吸収剤５３からＮＯXを放出させるようにしている。
【００１８】
一方、排気ガス中にはＳＯX、即ちＳＯ2が含まれており、このＳＯ2が下部コート層５２内に流入するとこのＳＯ2は白金Ｐｔ５４において酸化されてＳＯ3となる。次いでこのＳＯ3はＮＯX吸収剤５３内に吸収されて炭酸バリウムＢａＣＯ3と結合しながら、硫酸イオンＳＯ42-の形でＮＯX吸収剤５３内に拡散し、安定した硫酸塩ＢａＳＯ4を生成する。しかしながらＮＯX吸収剤５３が強い塩基性を有するためにこの硫酸塩ＢａＳＯ4は安定していて分解しづらく、排気ガスの空燃比を単にリッチにしただけでは硫酸塩ＢａＳＯ4は分解されずにそのまま残る。従ってＮＯX吸収剤５３内には時間が経過するにつれて硫酸塩ＢａＳＯ4が増大することになり、斯くして時間が経過するにつれてＮＯX吸収剤５３が吸収しうるＮＯX量が低下することになる。
【００１９】
そこで本発明による実施例ではＮＯX浄化用触媒１３の上流にＳＯXトラップ触媒１２を配置してこのＳＯXトラップ触媒１２により排気ガス中に含まれるＳＯXを捕獲し、それによってＮＯX吸収剤５３にＳＯXが流入しないようにしている。次にこのＳＯXトラップ触媒１２について説明する。
【００２０】
このＳＯXトラップ触媒１２は例えばハニカム構造のモノリス触媒からなり、図３はこのＳＯXトラップ触媒１２の基体５５の表面部分の断面を図解的に示している。図３に示されるように基体５５の表面上にはコート層５６が形成されており、このコート層５６の表面上には貴金属触媒５７が分散して担持されている。
【００２１】
本発明による実施例では貴金属触媒５７として白金が用いられており、コート層５６を構成する成分としては例えばカリウムＫ、ナトリウムＮａ、セシウムＣｓのようなアルカリ金属、バリウムＢａ、カルシウムＣｓのようなアルカリ土類、ランタンＬａ、イットリウムＹのような希土類から選ばれた少なくとも一つが用いられている。即ち、ＳＯXトラップ触媒１２のコート層５６は強塩基性を呈している。
【００２２】
さて、排気ガス中に含まれるＳＯX、即ちＳＯ2は図３に示されるように白金Ｐｔ５７において酸化され、次いでコート層５６内に捕獲される。即ち、ＳＯ2は硫酸イオンＳＯ42-の形でコート層５６内に拡散し、硫酸塩を形成する。なお、上述したようにコート層５６は強塩基性を呈しており、従って図３に示されるように排気ガス中に含まれるＳＯ2の一部は直接コート層５６内に捕獲される。
【００２３】
図３においてコート層５６内における濃淡は捕獲されたＳＯXの濃度を示している。図３からわかるようにコート層５６内におけるＳＯX濃度はコート層５６の表面近傍が最も高く、奥部に行くに従って次第に低くなってくる。コート層５６の表面近傍におけるＳＯX濃度が高くなるとコート層５６の表面の塩基性が弱まり、ＳＯXの捕獲能力が弱まる。即ち、ＳＯXトラップ率が低下する。この場合このＳＯXトラップ触媒１２では排気ガスの空燃比がリーンのもとでＳＯXトラップ触媒１２の温度を上昇させるとＳＯXトラップ率を回復させることができる。
【００２４】
即ち、排気ガスの空燃比がリーンのもとでＳＯXトラップ触媒１２の温度を上昇させるとコート層５６内の表面近傍に集中的に存在するＳＯXはコート層５６内におけるＳＯX濃度が均一となるようにコート層５６の奥部に向けて拡散していく。即ち、コート層５６内に生成されている硝酸塩はコート層５６の表面近傍に集中している不安定な状態からコート層５６内の全体に亘って均一に分散した安定した状態に変化する。コート層５６内の表面近傍に存在するＳＯXがコート層５６の奥部に向けて拡散するとコート層５６の表面近傍のＳＯX濃度が低下し、斯くしてＳＯXトラップ触媒１２の温度を上昇させるとＳＯXトラップ率が回復することになる。
【００２５】
一方、ＳＯXトラップ触媒１２のＳＯX捕獲量が更に増大するとＳＯXトラップ触媒１２の温度を上昇させたとしてもＳＯXトラップ率が回復しなくなる。ところがこのＳＯXトラップ触媒１２は、ＳＯXトラップ触媒１２の温度をほぼ６００℃以上に上昇させた状態でＳＯXトラップ触媒１２に流入する排気ガスの空燃比をリッチにすると捕獲したＳＯXをＳＯ2の形で放出する性質を有する。
【００２６】
そこで本発明による実施例ではＳＯXトラップ触媒１２からＳＯXを放出すべきときには還元剤供給弁１４から還元剤を供給することによりＳＯXトラップ触媒１２の温度をほぼ６００℃以上に上昇させると共に、ＳＯXトラップ触媒１２に流入する排気ガスの空燃比をリッチにし、それによってＳＯXトラップ触媒１２のＳＯXトラップ率を回復するようにしている。
【００２７】
ところでこのように排気ガスの空燃比をリッチにすることによりＳＯXトラップ触媒１２からＳＯXがＳＯ2の形で放出されるとこのＳＯ2はＮＯX浄化用触媒１３に流入する。一方、このように排気ガスの空燃比がリッチにされているとＮＯX浄化用触媒１３に流入する排気ガス中には酸素Ｏ2がほとんど存在していない。この場合、図３に示されるＳＯXトラップ触媒１２における場合と同様にＮＯX浄化用触媒１３においてもＳＯ2は酸化されることによりＮＯX浄化用触媒１３に捕獲されるので上述したように排気ガス中に酸素Ｏ2がほとんど存在しない場合にはＳＯ2はＮＯX浄化用触媒１３に捕獲されないようにみえる。
【００２８】
しかしながら排気ガス中にほとんど酸素Ｏ2が存在しない場合でもＮＯX浄化用触媒１３の表面或いは表面近傍における塩基性が強い場合には排気ガス中のＳＯ2はＮＯX浄化用触媒１３内に捕獲されてしまう。即ち、前述したように下部コート層５２を形成しているＮＯX吸蔵触媒は塩基性が強いので基体５０上にこのＮＯX吸蔵触媒の層のみを形成した場合には排気ガス中にほとんど酸素Ｏ2が存在しない場合でもＮＯX吸蔵触媒内にＳＯXが捕獲されることになる。その結果、ＮＯX吸蔵触媒のＮＯX吸蔵能力が低下することになる。
【００２９】
そこで本発明では図２に示されるようにＮＯX吸蔵触媒からなる下部コート層５２上にＮＯX吸蔵触媒よりも塩基性の弱い材料からなる上部コート層５１を形成するようにしている。このように上部コート層５１をＮＯX吸蔵触媒よりも塩基性の弱い材料から形成するとＳＯXトラップ触媒１２からＳＯXを放出すべく排気ガスの空燃比がリッチにされたときにＳＯ2が上部コート層５１に捕獲されずらくなる。その結果、下部コート層５２を構成しているＮＯX吸蔵触媒内にＳＯXが吸蔵されるのを抑制することができることになる。
【００３０】
なお、排気ガスに載ってＳＯ2が上部コート層５１内を下部コート層５２に向けて拡散する場合、このＳＯ2を上部コート層５１内に保持できればＳＯ2がＮＯX吸蔵触媒に捕獲されるのを阻止することができる。従って上部コート層５１はＳＯ2を保持することのできる材料から形成することが好ましいことになる。この場合、上部コート層５１の材料としてはＳＯ2を吸着しうる各種のゼオライトやアルミナを用いることができる。
【００３１】
また、上部コート層５１と塩基性の弱い材料よりも更にＳＯ2に対する吸引力のない酸性材料から形成すると上部コート層５１へのＳＯ2の捕獲作用は更に弱められる。従って上部コート層５１は酸性材料から形成することが好ましいことになる。この酸性材料としては各種のゼオライト、アルミナ、チタン複合酸化物、タングステン複合酸化物を用いることができる。
【００３２】
また、上部コート層５１がＳＯ2を酸化する機能を有すると排気ガス中のＳＯ2が上部コート層５１内に捕獲されてしまう。従って上部コート層５１としては酸化機能を有しない材料、即ち貴金属触媒を担持していない材料を用いることが好ましい。なお、上述の種々の条件を考えると、上部コート層５１をＦｅ・ゼオライトやチタニア・バナジウムのような例えばアンモニアの存在下でＮＯXを選択的に還元しうるＮＯX選択還元触媒から形成することができる。
【００３３】
また、ＳＯXトラップ触媒１２内を流れる排気ガスの空間速度が速くなれば速くなるほどＳＯ2が上部コート層５１内に拡散しずらくなる。従って本発明による実施例では、ＳＯXトラップ触媒１２からＳＯXを放出すべきときにはＳＯXトラップ触媒１２内を流れる排気ガスの空間速度が予め定められた速度以上のときにＳＯXトラップ触媒１２に流入する排気ガスの空燃比がリッチにされる。
【００３４】
次に図４を参照しつつ排気浄化処理方法の一例について説明する。なお、図４に示すルーチンは一定時間毎の割込みによって実行される。
図４を参照するとまず初めにステップ６０において下部コート層５２内、即ちＮＯX吸蔵触媒内に単位時間当り吸蔵されるＮＯX量ＮＯＸＡが算出される。このＮＯX量ＮＯＸＡは要求トルクＴＱおよび機関回転数Ｎの関数として図５（Ａ）に示すマップの形で予めＲＯＭ３２内に記憶されている。
【００３５】
次いでステップ６１ではこのＮＯＸＡがＮＯX吸蔵触媒に吸蔵されているＮＯX量ΣＮＯＸに加算される。次いでステップ６２では吸蔵ＮＯX量ΣＮＯＸが許容値ＮＸを越えたか否かが判別される。ΣＮＯＸ＞ＮＸとなったときにはステップ６３に進んで還元剤供給弁１４から還元剤を供給することによって排気ガスの空燃比を一時的にリーンからリッチに切換えるリッチ処理が行われ、ΣＮＯＸがクリアされる。このときＮＯX吸蔵触媒からＮＯXが放出される。
【００３６】
次いでステップ６４では機関から単位時間当り排出されるＳＯX量、即ちＳＯXトラップ触媒１２に単位時間当り捕獲されるＳＯX量ＳＯＸＡが算出される。このＳＯX量ＳＯＸＡは要求トルクＴＱおよび機関回転数Ｎの関数として図５（Ｂ）に示されるようなマップの形で予めＲＯＭ３２内に記憶されている。次いでステップ６５ではこのＳＯＸＡがＳＯXトラップ触媒１２に捕獲されているＳＯX量ΣＳＯＸに加算される。次いでステップ６６では捕獲ＳＯX量ΣＳＯＸが許容値ＳＸを越えたか否かが判別される。
【００３７】
ΣＳＯＸ＞ＳＸとなったときにはステップ６７に進んでＳＯXを放出すべき条件が成立しているか否か、例えばＳＯXトラップ触媒１２内を流れる排気ガスの空間速度が予め定められた速度以上であるか否か、即ち吸入空気量が設定量以上であるか否かが判別される。吸入空気量が設定量以上のときにはステップ６８に進んで排気ガスの空燃比をリーンに維持しつつ還元剤供給弁１４から還元剤を供給することによってＳＯXトラップ触媒１２の温度をＳＯX放出温度まで上昇させる昇温制御が行われる。次いでステップ６９では還元剤供給弁１４から供給された還元剤によってＳＯXトラップ触媒１２に流入する排気ガスの空燃比をリッチに維持するリッチ処理が行われ、ΣＳＯＸがクリアされる。このときＳＯXトラップ触媒１２からＳＯXが放出される。
【図面の簡単な説明】
【００３８】
【図１】圧縮着火式内燃機関の全体図である。
【図２】ＮＯX浄化用触媒の基体の表面部分の断面図である。
【図３】ＳＯXトラップ触媒の基体の表面部分の断面図である。
【図４】排気浄化処理を実行するためのフローチャートである。
【図５】吸蔵ＮＯX量ＮＯＸＡ等のマップを示す図である。
【符号の説明】
【００３９】
４    吸気マニホルド
５    排気マニホルド
１２    ＳＯXトラップ触媒
１３    ＮＯX浄化用触媒
１４    還元剤供給弁
５０    基体
５１    上部コート層
５２    下部コート層
５３    ＮＯ吸収剤
５４    貴金属触媒
【図１】
2008303791.tif 000003
【図２】
2008303791.tif 000004
【図３】
2008303791.tif 000005
【図４】
2008303791.tif 000006
【図５】
2008303791.tif 000007